(57)【要約】【課題】ディスプレイの大きさや質量に影響されず容易にディスプレイを保持でき、固定することのできる携帯端末装置を提供する。【解決手段】サブディスプレイ３１と、第一の腕部に第一の係合片と第一のピン孔とを有し、第一の腕部と対向位置に配された第二の腕部には、第二の係合片と第二のピン孔と突部と、を有するサブディスプレイホルダ２１と、サブディスプレイホルダ２１を仮止めする第一の係合部と第二の係合部と、を有する第一のケース１６と、位置決めピンを有する第二のケースと、を備え、サブディスプレイホルダ２１を第一のケースに仮止めした状態で、第二のケースに形成された位置決めピンをサブディスプレイホルダ２１の第一のピン孔と第二のピン孔とに挿通してサブディスプレイホルダ２１を固定する。【選択図】図２
2010278700.tif 000002
【特許請求の範囲】
【請求項１】
ディスプレイと、
第一の係合片と第一のピン孔とを有する第一の腕部と、第二の係合片と第二のピン孔と突部とを有して前記第一の腕部と対向位置に配された第二の腕部と、を有し、前記ディスプレイを固定するディスプレイホルダと、
前記第一の係合片を係合させて前記ディスプレイホルダを仮止めする第一の係合部と、前記第二の係合片を係合させて前記ディスプレイホルダを仮止めする第二の係合部と、を有する第一のケースと、
位置決めピンを有する第二のケースと、を備え、
前記ディスプレイホルダは、当該ディスプレイホルダを前記第一のケースに仮止めした状態で、前記第二のケースに形成された前記位置決めピンを当該ディスプレイホルダの前記第一のピン孔と前記第二のピン孔とに挿通して固定された
携帯端末装置。
【請求項２】
前記第一の係止片は、前記第一の腕部の伸びている向きに対して、前記ディスプレイホルダの枠形形状の中心を中心として時計回り又は反時計回りに曲がった向きに設けられ、
前記回転防止リブは、前記第二の腕部の前記第二の係止片に対して、前記ディスプレイホルダの枠形形状の中心を中心として前記第一の係止片が前記第一の腕部の伸びている向きに対して曲がっている向きと同じ向きに、隣接して、設けられた
請求項１記載の携帯端末装置。
【請求項３】
前記ディスプレイホルダは、枠形の形状を備え、
前記枠形の形状の内側に配設され、前記ディスプレイの一辺を挟んで保持する係合突部と、
前記枠形の形状の内側に前記係合突部に対向して配設され、前記ディスプレイの対辺を押圧する押圧部と、を有する
請求項１又は請求項２に記載の携帯端末装置。
【請求項４】
前記ディスプレイは、
ディスプレイ本体と、
前記ディスプレイ本体の片面端部の略中央に配設されたドライブＩＣと、
前記ディスプレイ本体の角部から引き出されたフレキシブル回路基板と、を有する
請求項１乃至請求項３のいずれか１項に記載の携帯端末装置。
【発明の詳細な説明】
【技術分野】
【０００１】
本発明は、携帯電話機などの携帯端末装置に関し、特にディスプレイの保持とディスプレイを保持したディスプレイホルダの取付構造に関するものである。
【背景技術】
【０００２】
従来の携帯電話機などの電子機器におけるディスプレイユニット保持装置は、有底枠体の一側方の開口縁部に突設された複数の係合突起と、有底枠体の一側方の枠辺に対峙する他側方の枠辺に配置され、収納されたディスプレイユニットを一側方に向けて押圧する押圧部材を備えて保持固定するものが知られている（例えば、特許文献１参照）。
【０００３】
また、従来の携帯電子機器におけるサブ液晶モジュールの支持固定は、サブ液晶モジュールを枠部で保持し、枠部には互いに反対方向に向かって形成された一対の腕部の先端に枠部に対して垂直方向に向かって形成された係止片を設け、係止片とフロントケースの係合部と係合させることによって枠部をケースに固定するものが知られている（例えば、特許文献２参照）。
【先行技術文献】
【特許文献】
【０００４】
【特許文献１】特開２００２−７２９１２号公報
【特許文献２】特開２００７−１２４３８４号公報
【発明の概要】
【発明が解決しようとする課題】
【０００５】
しかしながら、特許文献１に記載された従来のディスプレイユニット保持装置においては、ディスプレイユニット保持装置自体を、携帯電話機などの電子機器に、どのように支持固定するかについては記載されていない。
【０００６】
また、特許文献２に記載された従来の携帯電子機器のサブディスプレイの支持固定に関しては、サブ液晶モジュールを保持した枠部の腕部先端に形成された係止片を本体側の係合部と係合させるもので、係合後のサブ液晶モジュールの位置とケース側の表示窓との位置調整が困難であるという課題を有していた。
【０００７】
本発明は、このような従来の課題を解決するためになされたもので、確実にしかも容易にディスプレイを保持でき、ディスプレイを保持したディスプレイホルダを第一のケースの所定位置に仮止めした状態で、第二のケースに形成された位置決めピンをディスプレイホルダのピン穴に挿通してディスプレイホルダを固定することのできる組立作業性の優れた携帯端末装置を提供することを目的としたものである。
【課題を解決するための手段】
【０００８】
本発明の携帯端末装置は、ディスプレイと、第一の係合片と第一のピン孔とを有する第一の腕部と、第二の係合片と第二のピン孔と突部とを有して前記第一の腕部と対向位置に配された第二の腕部と、を有し、前記ディスプレイを固定するディスプレイホルダと、前記第一の係合片を係合させて前記ディスプレイホルダを仮止めする第一の係合部と、前記第二の係合片を係合させて前記ディスプレイホルダを仮止めする第二の係合部と、を有する第一のケースと、位置決めピンを有する第二のケースと、を備え、前記ディスプレイホルダは、当該ディスプレイホルダを前記第一のケースに仮止めした状態で、前記第二のケースに形成された前記位置決めピンを当該ディスプレイホルダの前記第一のピン孔と前記第二のピン孔とに挿通して固定された構成を有している。
【０００９】
この構成により、ディスプレイホルダを第一のケースに仮止めでき、仮止めした状態で第二のケースに形成された位置決めピンをディスプレイホルダのピン孔に挿通してディスプレイホルダを第一のケースと第二のケースとの間に挟圧固定することができる。また、第二の腕部に突部を設けたことにより、ディスプレイホルダの回転を防止できるので、組立作業性を向上させることができる。
【００１０】
また、前記第一の係止片は、前記第一の腕部の伸びている向きに対して、前記ディスプレイホルダの枠形形状の中心を中心として時計回り又は反時計回りに曲がった向きに設けられ、前記回転防止リブは、前記第二の腕部の前記第二の係止片に対して、前記ディスプレイホルダの枠形形状の中心を中心として前記第一の係止片が前記第一の腕部の伸びている向きに対して曲がっている向きと同じ向きに、隣接して、設けられた構成を有している。
【００１１】
この構成により、組立作業中のディスプレイホルダの回転を防止できるので、組立作業性を向上させることができる。
【００１２】
また、前記ディスプレイホルダは、枠形の形状を備え、前記枠形の形状の内側に配設され、前記ディスプレイの一辺を挟んで保持する係合突部と、前記枠形の形状の内側に前記係合突部に対向して配設され、前記ディスプレイの対辺を押圧する押圧部と、を有しているものを含む。
【００１３】
この構成により、ディスプレイをディスプレイホルダの所定位置に保持することができる。
【００１４】
また、前記ディスプレイは、ディスプレイ本体と、前記ディスプレイ本体の片面端部の略中央に配設されたドライブＩＣと、前記ディスプレイ本体の角部から引き出されたフレキシブル回路基板と、を有する構成を有しているものを含む。
【００１５】
この構成により、ドライブＩＣが大型化してもディスプレイをディスプレイホルダの所定位置に保持することができる。
【発明の効果】
【００１６】
本発明の携帯端末装置は、確実にしかも容易にディスプレイを保持でき、ディスプレイを保持したディスプレイホルダを第一のケースの所定位置に仮止めした状態で、第二のケースの形成された位置決めピンをディスプレイホルダのピン穴に挿通してディスプレイホルダを固定することのできるので組立作業性に優れている。
【図面の簡単な説明】
【００１７】
【図１】（ａ）本発明の実施の形態における折り畳み式携帯電話機の正面図（ｂ）ヒンジ部で開いた状態を示す正面図
【図２】サブディスプレイを保持したサブディスプレイホルダを第一のケースに仮止めした状態を示す図
【図３】第二のケースを内側から見た図
【図４】サブディスプレイを保持したサブディスプレイホルダの正面図
【図５】（ａ）図２のＡ−Ａ断面矢視図（ｂ）図２のＢ−Ｂ断面矢視図（ｃ）図２のＣ−Ｃ断面矢視図（ｄ）第二の位置決めピンと第二のピン穴の嵌合を説明する断面図
【図６】サブディスプレイホルダの正面図
【図７】（ａ）図６のＥ−Ｅ断面矢視図（ｂ）図４のＤ−Ｄ断面矢視図
【発明を実施するための形態】
【００１８】
以下、本発明の実施の形態の携帯端末装置について、図面を用いて説明する。
【００１９】
なお、本実施の形態では、携帯端末装置として折り畳み式携帯電話機を用いて説明する。
【００２０】
図１（ａ）は、本発明の実施の形態における折り畳み式携帯電話機の正面図、図１（ｂ）は、ヒンジ部で開いた状態を示す正面図である。
【００２１】
図１において、本実施の形態の折り畳み式携帯電話機１０は、第一の筐体１１と第二の筐体１４とがヒンジ部２０で回動自在に連結されている。
【００２２】
第一の筐体１１には、操作キーボタンを有す操作部１２やマイク（図示せず）および携帯電話機の各種機能を実現するための制御部（図示せず）などが配設内蔵されている。
【００２３】
第二の筐体１４には、メインディスプレイ１５やサブディスプレイ３１およびこれらのディスプレイを制御する回路基板（図示せず）などが配設内蔵されている。
【００２４】
なお、第二の筐体１４は、後述する第一のケース１６と第一のケース１６を覆う第二のケース２９とで構成され、内部にはサブディスプレイ３１を保持したサブディスプレイホルダ２１が配設されている。
【００２５】
図２は、サブディスプレイを保持したサブディスプレイホルダを第一のケースに仮止めした状態を示す図である。また、図３は第二のケース２９を内側から見た図である。
【００２６】
図２において、第一のケース１６は、絶縁性を有す樹脂によって箱形に成型されている。
【００２７】
また図３において、第二のケース２９は、第一の位置決めピン２７ａと第二の位置決めピン２７ｂ、およびサブディスプレイ窓３０を備えている。
【００２８】
第一のケース１６の外周にほぼ近接した内側には弾性を有す部材で成型された防水パッキン（図示せず）を装着するパッキン溝１６ａが環状に形成されており、図３に示す第二のケース２９を覆い防水パッキンを押圧することによってサブディスプレイ３１を保持したサブディスプレイホルダ２１が組み込まれた空間を防水領域としている。
【００２９】
また、防水領域の底面には、サブディスプレイホルダ２１を仮止めするための門形の第一の係合部１７と対向位置に配された門形の第二の係合部１８とが形成されている。
【００３０】
図４は、サブディスプレイを保持した状態を示すサブディスプレイホルダの正面図である。
【００３１】
図４において、サブディスプレイホルダ２１は、絶縁性と可撓性を有す樹脂によって枠形の形状に成型されている。
【００３２】
サブディスプレイホルダ２１の内側には、サブディスプレイ３１が保持されている。
【００３３】
サブディスプレイ３１は、液晶または有機エレクトロルミネッセンスからなる表示素子で構成された矩形のサブディスプレイ本体３１ａと、サブディスプレイ本体３１ａの片面の端部中央部付近に配設されたドライブＩＣ３１ｂと、サブディスプレイ本体３１ａの角部付近から引き出されたフレキシブル回路基板３１ｃとでユニット化されている。
【００３４】
サブディスプレイホルダ２１の外側には、第一の腕部２１ａと対向位置に配された第二の腕部２１ｂとが形成されている。
【００３５】
第一の腕部２１ａは、第二のケース２９に形成された第一の位置決めピン２７ａが嵌合する第一のピン穴２２ａと、先端に第一のケースに形成された門形の第一の係合部１７と遊合する第一の係合片２３ａとを有している。
【００３６】
第二の腕部２１ｂは、第二のケース２９に形成された第二の位置決めピン２７ｂが嵌合する第二のピン穴２２ｂと、先端に第一のケースに形成された門形の第二の係合部１８と遊合する第二の係合片２３ｂとを有している。
【００３７】
さらに、第二の係合片２３ｂに隣接した位置に、第二のケース２９に形成された門形の第二の係合部１８の脚部を挟むように配置された突部である回転防止リブ２４を有している。この回転防止リブ２４を設けることにより、組立作業中のサブディスプレイホルダ２１の回転に起因してサブディスプレイホルダ２１が第一の係合部１７及び第二の係合部１８から脱落することを防止できるので、組立作業性を向上させることができる。
【００３８】
次に、サブディスプレイを保持したサブディスプレイホルダを第一のケースに仮止めする方法について図５を用いて説明する。
【００３９】
図５（ａ）は、図２のＡ−Ａ断面矢視図を示し、図５（ｂ）は、図２のＢ−Ｂ断面矢視図を示し、図５（ｃ）は、図２のＣ−Ｃ断面矢視図を示し、図５（ｄ）は、第二の位置決めピン２７ｂと第二のピン穴２２ｂの嵌合を説明する断面図を示す。
【００４０】
まず、サブディスプレイ３１を保持したサブディスプレイホルダ２１を第一のケース１６に仮止めするためには、図５（ａ）に示すように、サブディスプレイホルダ２１に形成された第一の腕部２１ａの先端の第一の係合片２３ａを第一のケース１６に形成された門形の第一の係合部１７に側面より奥まで差し込み遊合状態で係合させる。
【００４１】
次に、サブディスプレイホルダ２１の対向位置に配された第二の腕部２１ｂの先端の第二の係合片２３ｂを第一のケース１６に形成された門形の第二の係合部１８に側面より奥まで差込み遊合状態で係合させる。このとき、門形の第二の係合部１８の脚部を、第二の係合片２３ｂと回転防止リブ２４とで挟み込むかたちで係合されることになる。
【００４２】
なお、第一の腕部２１ａの先端の第一の係合片２３ａの長さは、第二の腕部２１ｂの先端の第二の係合片２３ｂの長さより若干長く形成されているため、サブディスプレイホルダ２１が第二の係合部１８の方向に最大限寄っても第一の係合片２３ａが第一の係合部１７より抜けてしまうことはない。
【００４３】
また、第二の腕部２１ｂの先端の回転防止リブ２４の長さは、第二の腕部２１ｂの先端の第二の係合片２３ｂの長さより若干長く形成されているため、サブディスプレイホルダ２１が第一の係合部１７の方向に最大限寄った場合、第二の係合片２３ｂは第二の係合部１８より抜ける。
【００４４】
この際、図５（ｃ）に示すように、第二の係合部１８の脚部と第二の係合片２３ｂとのすきまｄ２より、回転防止リブ２４と第二の係合部１８の脚部とのすきまｄ３を小さくすることで、第二の係合片２３ｂが第二の係合部１８から抜けて回転しようとする場合に、回転防止リブ２４が先に第二の係合部１８の脚部に当たって回転を防ぐ。
【００４５】
また、図２及び図４、６に示すように、第一の腕部２１ａは、サブディスプレイホルダ２１の枠形形状の部分から斜めに延びている。また、第一の係止片２３ａは、第一の腕部２１ａの伸びている向きに対して、サブディスプレイホルダ２１の枠形形状の中心付近（重心）を中心に反時計回りの向き（図４の向きに見て左）に曲がった向きに設けられている。
【００４６】
一方、サブディスプレイホルダ２１にサブディスプレイ３１を固定した場合、その重心は、サブディスプレイホルダ２１の枠形形状の中心付近になると考えられる。そして、組立作業中に、サブディスプレイホルダ２１にサブディスプレイ３１を固定したものが、この重心を中心に回転することが考えられる。
【００４７】
このため、回転防止リブ２４を設けないと、サブディスプレイホルダ２１を図４の向きに見て時計回りに回転した場合に、第一の腕部２１ａの第一の係止片２３ａが、第一の係合部１７から抜け易い。
【００４８】
そこで、本実施の形態では、突部である回転防止リブ２４を、第二の腕部２１ｂの第二の係止片２３ｂに対して、サブディスプレイホルダ２１の枠形形状の中心付近（重心）を中心に反時計回りの向き（図４の向きに見て右）に、横に隣接して設けている。
【００４９】
このように回転防止リブ２４を設けることにより、サブディスプレイホルダ２１が時計回りに回転することを防止できるので、サブディスプレイホルダ２１が第一の係合部１７から脱落しにくくなる（抜けにくくなる）。また、その結果、第二の係合部１８からも脱落しにくくなる（抜けにくくなる）。
【００５０】
なお、上記の逆の向きの場合も同様である。すなわち、第一の係止片が、第一の腕部の伸びている向きに対して、サブディスプレイホルダの枠形形状の中心付近（重心）を中心に時計回りの向き（図４の向きに見て右）に曲がった向きに設けられている場合には、回転防止リブを、第二の腕部の第二の係止片に対して、サブディスプレイホルダの枠形形状の中心付近（重心）を中心に時計回りの向き（図４の向きに見て左）に、横に隣接して設ければよい。
【００５１】
この場合も、サブディスプレイホルダが反時計回りに回転することを防止できるので、サブディスプレイホルダが第一の係合部及び第二の係合部から脱落しにくくなる（抜けにくくなる）。要するに、第二の腕部の第二の係止片に対して、第一の係止片が第一の腕部の伸びている向きに対して曲がっている向きと同じ向きに、横に隣接して、回転防止リブを設ければよい。
【００５２】
以上の構成により、携帯端末装置の製造過程で衝撃や振動が加わってもサブディスプレイホルダ２１は、第一のケース１６の所定位置より許容量以上に移動することを防止できる。すなわち、回転防止リブ２４を設けたことにより、組立作業中のサブディスプレイホルダ２１の回転に起因してサブディスプレイホルダ２１が第一の係合部１７及び第二の係合部１８から脱落することを防止できるので、組立作業性を向上させることができる。
【００５３】
また、第一のケース１６と第二のケース２９を組み合わせる際に、第二のケース２９に形成された第一の位置決めピン２７ａとサブディスプレイホルダ２１の第一のピン穴２２ａが嵌合する。また、第二のケース２９に形成された第二の位置決めピン２７ｂとサブディスプレイホルダ２１の第二のピン穴２２ｂとが嵌合する。
【００５４】
このとき、図５（ｄ）に示すように、第二のケース２９に形成された第二の位置決めピン２７ｂとサブディスプレイホルダ２１に形成された第一のピン穴２２ａのすきまｄ１が、仮止めの際のすきまより小さいので、サブディスプレイホルダ２１の位置は第二の位置決めピン２７ｂと第一のピン穴２２ｂの位置関係により位置が決まることになる。
【００５５】
すなわち、サブディスプレイホルダに形成された第一のピン穴と第二のピン穴とは所定位置に位置するため、サブディスプレイホルダを第一のケースと第二のケース２９との間に挟圧固定することができる。
【００５６】
また、サブディスプレイホルダ２１を第一のケース１６に仮止めした状態で第二のケース２９に形成された位置決めピン２７ａ、２７ｂをサブディスプレイホルダ２１のピン孔２２ａ、２２ｂに挿通して固定することができるので、サブディスプレイ３１と第二のケース２９に形成されたサブディスプレイ窓３０との位置合わせの作業性も向上することができる。
【００５７】
ここで、サブディスプレイをサブディスプレイホルダに保持する方法について図６および図７を用いて説明する。
【００５８】
図６は、サブディスプレイホルダの正面図を示し、図７（ａ）は、図６のＥ−Ｅ断面矢視図を示し、図７（ｂ）は、図４のＤ−Ｄ断面矢視図を示す。
【００５９】
枠形のサブディスプレイホルダ２１の内側の各角部と長辺の中央部にはサブディスプレイ３１を下側より支持する支持用突部２５ａ、２５ｂが形成されている。なお、長辺の中央部の支持用突部２５ｂは、サブディスプレイ本体の機械的強度によってはなくてもよい。
【００６０】
また、長辺側の一辺にはサブディスプレイ３１の浮き上がりを規制する係合突部２６が形成されている。なお、係合突部２６は複数形成されてもよい。
【００６１】
支持用突部２５ａ、２５ｂと係合突部２６がなす間隔（図７（ａ）のｄ）は、サブディスプレイ本体３１ａの厚みより若干広い間隔で形成されている。
【００６２】
さらに、サブディスプレイホルダ２１の他の長辺側には収納されたサブディスプレイ３１を係合突部２６側に付勢する一対の押圧部２８を有している。
【００６３】
押圧部２８は、サブディスプレイ３１の端面を係合突部２６側に押圧するとともにサブディスプレイ３１の浮き上がりを規制するために鉤形に形成されている。
【００６４】
以上のように構成されているため、ユニット化されたサブディスプレイ３１をサブディスプレイホルダ２１に保持する場合に、サブディスプレイ３１の長辺側を支持用突部２５ａと係合突部２６がなす間隔（ｄ）に奥まで挿入し、次に一対の押圧部２８を外方向に押し広げてサブディスプレイ３１を下側より支持する支持用突部２５ａまで押し込んだ状態で一対の押圧部２８を離すと、押圧部２８は、図７（ｂ）に示すようにサブディスプレイ３１の端面と上面の一部に接触し、付勢状態でサブディスプレイ３１を保持することができる。
【００６５】
以上で説明したように、本発明の実施の形態における折り畳み式携帯電話機は、サブディスプレイホルダを第一のケースに仮止めでき、仮止めした状態で第二のケースに形成された位置決めピンをサブディスプレイホルダのピン孔に挿通してサブディスプレイホルダを第一のケースと第二のケースとの間に挟圧固定することができる。
【００６６】
また、サブディスプレイホルダを第一のケースに仮止めした状態で第二のケースに形成された位置決めピンをサブディスプレイホルダのピン孔に挿通して固定することができるので、サブディスプレイと第二のケースに形成されたサブディスプレイ窓との位置合わせの作業性も向上することができる。
【００６７】
さらに、回転防止リブを設けたことにより、組立作業中のサブディスプレイホルダの回転に起因してサブディスプレイホルダが第一の係合部及び第二の係合部から脱落することを防止できるので、組立作業性を向上させることができる。
【００６８】
なお、以上の実施の形態では、ディスプレイとして携帯電話機のサブディスプレイについて説明したが、これに限ることなくディスプレイを保持するディスプレイホルダに適用できる。
【００６９】
また、携帯端末装置として折り畳み式携帯電話機について説明したが、これに限ることなく一体型やスライド型の携帯電話機であってもよいし、携帯電話機に限定されるものでなくデジタルカメラやＰＤＡやその他の電子機器であってもよい。
【産業上の利用可能性】
【００７０】
以上のように、本発明にかかる携帯端末装置は、ディスプレイを保持したディスプレイホルダを所定位置に確実に仮止めし、仮止めした状態で、第二のケースの位置決めピンでディスプレイホルダを固定することができ、組立作業性に優れているという効果を有し、携帯電話機、ＰＤＡ、ノートパソコン、携帯型ゲーム機などとして有用である。
【符号の説明】
【００７１】
１０    携帯電話機
１１    第一の筐体
１２    操作部
１４    第二の筐体
１５    メインディスプレイ
１６    第一のケース
１６ａ    パッキン溝
１７    第一の係合部
１８    第二の係合部
２０    ヒンジ部
２１    サブディスプレイホルダ
２１ａ    第一の腕部
２１ｂ    第二の腕部
２２ａ    第一のピン穴
２２ｂ    第二のピン穴
２３ａ    第一の係止片
２３ｂ    第二の係止片
２４    回転防止リブ（突部）
２５ａ，２５ｂ    支持用突部
２６    係合突部
２７ａ    第一の位置決めピン
２７ｂ    第二の位置決めピン
２８    押圧部
２９    第二のケース
３０    サブディスプレイ窓
３１    サブディスプレイ
３１ａ    サブディスプレイ本体
３１ｂ    ドライブＩＣ
３１ｃ    フレキシブル回路基板
【図１】
2010278700.tif 000003
【図２】
2010278700.tif 000004
【図３】
2010278700.tif 000005
【図４】
2010278700.tif 000006
【図５】
2010278700.tif 000007
【図６】
2010278700.tif 000008
【図７】
2010278700.tif 000009